(57)【特許請求の範囲】
【請求項１】
吸込口及び吹出口を開口する筐体と、前記筐体内に横設されるクロスフローファンと、左右方向に延びて両側端の屈曲部で屈曲して蛇行する冷媒管に複数のフィンを固着して形成されるとともに前記クロスフローファンの上流側に配される熱交換器と、前記筐体内に立設して前記熱交換器の両側端を支持する一対の支持部材とを備えた空気調和機の室内機において、前記熱交換器のドレン水を回収するドレンパンを備え、前記ドレンパンが前記筐体に支持される端面板を左右端に有して前記端面板上に前記支持部材が載置され、前記支持部材の下端及び前記端面板の上端の少なくとも一方に設けた段差部内に他方が配され、前記支持部材は、前記屈曲部が嵌合する長孔形状の保持孔と、前記保持孔の周縁から外方に突出して前記屈曲部が嵌合する筒状のリブとを有し、前記リブの下端部が下方に面して開放されることを特徴とする空気調和機の室内機。
【請求項２】
前記リブには内周面から突出して前記屈曲部の内周部を係止する係止爪が設けられていることを特徴とする請求項１に記載の空気調和機の室内機。
【請求項３】
前記熱交換器の両側端に配した前記フィンが前記支持部材に当接することを特徴とする請求項１または請求項２に記載の空気調和機の室内機。
【請求項４】
前記吸込口と前記熱交換器との間に配されるフィルタと、前記フィルタをスライド可能に支持するフィルタガイドとを備え、前記支持部材が上端部から内側に延びて前記フィルタガイドに当接する封止部を有し、前記封止部により前記フィルタガイドと前記支持部材との隙間を塞ぐことを特徴とする前記請求項１〜請求項３のいずれかに記載の空気調和機の室内機。
【請求項５】
吸込口及び吹出口を開口する筐体と、前記筐体内に横設されるクロスフローファンと、左右方向に延びて両側端の屈曲部で屈曲して蛇行する冷媒管に複数のフィンを固着して形成されるとともに前記クロスフローファンの上流側に配される熱交換器と、前記筐体内に立設して前記熱交換器の両側端を支持する一対の支持部材とを備えた空気調和機の室内機において、前記熱交換器のドレン水を回収するドレンパンを備え、前記ドレンパンが前記筐体に支持される端面板を左右端に有して前記端面板上に前記支持部材が載置され、前記支持部材の下端及び前記端面板の上端の少なくとも一方に設けた段差部内に他方が配されることを特徴とする空気調和機の室内機。
【発明の詳細な説明】
【技術分野】
【０００１】
本発明はセパレート型の空気調和機の室内機に関する。
【背景技術】
【０００２】
従来の空気調和機の室内機は特許文献１に開示されている。この室内機の筐体内部にはクロスフローファン及び熱交換器が収納されている。熱交換器はクロスフローファンの上流側を取り囲むように配置されている。熱交換器の下方にはドレンパンが配置されている。熱交換器は左右方向に延びる冷媒管を有し、冷媒管は両端で屈曲して蛇行しながら所定間隔で並設されている。冷媒管には鉛直に延びる多数のフィンが固着されている。
【０００３】
冷媒管の両端には側板が取り付けられる。具体的には、冷媒管の端部で屈曲する屈曲部が側板に形成された保持孔に挿入される。また、保持孔は周縁から外方に突出する筒状のリブが形成されており、屈曲部はリブ内部に当接して保持される。
【０００４】
冷房運転が行われると、室内機の熱交換器は蒸発器として動作する。室内から筐体内に吸い込まれた空気はフィンとの熱交換により冷却され、冷風が室内に吹出される。吸い込まれた空気が冷媒管を通過する際に、空気中に含まれる水蒸気が凝縮してドレン水が発生する。ドレン水はドレンパンに滴下して排水管を通じて室外に排出される。
【先行技術文献】
【特許文献】
【０００５】
【特許文献１】特開２００９−１４４９８２号公報
【発明の概要】
【発明が解決しようとする課題】
【０００６】
上記従来の室内機によると、冷媒管の屈曲部を保持するリブ内部に溜まったドレン水により屈曲部が腐食する問題があった。
【課題を解決するための手段】
【０００７】
上記目的を達成するために本発明は、吸込口及び吹出口を開口する筐体と、前記筐体内に横設されるクロスフローファンと、左右方向に延びて両側端の屈曲部で屈曲して蛇行する冷媒管に複数のフィンを固着して形成されるとともに前記クロスフローファンの上流側に配される熱交換器と、前記筐体内に立設して前記熱交換器の両側端を支持する一対の支持部材とを備えた空気調和機の室内機において、前記支持部材は、前記屈曲部が嵌合する長孔形状の保持孔と、前記保持孔の周縁から外方に突出して前記屈曲部が嵌合する筒状のリブとを有し、前記リブの下端部が下方に面して開放されることを特徴としている。
【０００８】
また、本発明は上記構成の空気調和機の室内機において、前記リブには内周面から突出して前記屈曲部の内周部を係止する係止爪が設けられていることを特徴としている。
【０００９】
また、本発明は上記構成の空気調和機の室内機において、前記熱交換器の両側端に配した前記フィンが前記支持部材に当接することを特徴としている。
【００１０】
また、本発明は上記構成の空気調和機の室内機において、前記熱交換器のドレン水を回収するドレンパンを備え、前記ドレンパンが前記筐体に支持される端面板を左右端に有して前記端面板上に前記支持部材が載置され、前記支持部材の下端及び前記端面板の上端の少なくとも一方に設けた段差部内に他方が配されることを特徴としている。
【００１１】
また、本発明は上記構成の空気調和機の室内機において、前記吸込口と前記熱交換器との間に配されるフィルタと、前記フィルタをスライド可能に支持するフィルタガイドとを備え、前記支持部材が上端部から内側に延びて前記フィルタガイドに当接する封止部を有し、前記封止部により前記フィルタガイドと前記支持部材との隙間を塞ぐことを特徴としている。
【発明の効果】
【００１２】
本発明の空気調和機の室内機によると、冷媒管の屈曲部を保持するリブ内部に溜まったドレン水は開放された下端部から抜けてリブ内部で冷媒管が腐食するのを防止することができる。
【図面の簡単な説明】
【００１３】
【図１】本発明の第１実施形態に係る室内機の斜視図。
【図２】本発明の第１実施形態に係る室内機の正面図。
【図３】図２中のＡ−Ａ線断面図。
【図４】本発明の第１実施形態に係る室内機の内部を示す斜視図。
【図５】本発明の第１実施形態に係る室内機の支持部材の斜視図。
【図６】本発明の第１実施形態に係る室内機の支持部材を左方から視た図。
【図７】本発明の第１実施形態に係る室内機の支持部材の正面断面図。
【図８】本発明の第１実施形態に係る室内機の支持部材に形成された保持孔を拡大して示す斜視図。
【図９】本発明の第１実施形態に係る室内機の支持部材の下端部の正面断面図。
【図１０】本発明の第２実施形態に係る室内機の支持部材の一部を示す正面断面図。
【図１１】本発明の第３実施形態に係る室内機の支持部材に形成されたリブを拡大して示す斜視図。
【図１２】本発明の第３実施形態に係る室内機の支持部材に形成されたリブの変形例を示す斜視図。
【図１３】本発明の第４実施形態に係る室内機の支持部材に形成されたリブを拡大して示す斜視図。
【図１４】本発明の第４実施形態に係る室内機の支持部材に形成されたリブの上面断面図。
【図１５】本発明の第５実施形態に係る室内機の支持部材に形成されたリブを拡大して示す斜視図。
【図１６】本発明の第５実施形態に係る室内機の支持部材に形成されたリブの上面断面図。
【発明を実施するための形態】
【００１４】
＜第１実施形態＞
以下に本発明の第１実施形態を図面の参照にて説明する。図１はセパレート型の空気調和機の室内機１の斜視図であり、図２は室内機１の正面図である。図３は図２中のＡ−Ａ線断面図である。また、図４は室内機１の内部を示す斜視図である。
【００１５】
なお、図示しない室外機には、圧縮機、熱交換器、四方弁、絞り装置、ファンが内装されている。室内機と室外機とが冷媒管によって接続され、冷凍サイクルが形成される。空気調和機では、冷房、暖房、除湿などの空調運転が行われる。
【００１６】
室内機１は横長の筐体１０を備え、筐体１０の上面に吸込口４を開口して筺体１０の正面下部に吹出口５を開口する。吹出口５には、風向きを可変するルーバ１６が開閉自在に設けられている。また、筐体１０の前面には前カバー１１が配され、前カバー１１は取り外すことができる。
【００１７】
筐体１０の内部には吸込口４から吹出口５に至る送風路６が形成され、送風路６に熱交換器１５とクロスフローファン２とが配されている。熱交換器１５はクロスフローファン２の上流側を取り囲むように配置されている。また、吸込口４と熱交換器１５との間にはフィルタ２４が配されている。フィルタ２４はフィルタガイド２０にスライド可能に支持され、吸込口４に面している。フィルタ２４の前方上部には清掃ユニット２５が設けられている。
【００１８】
クロスフローファン２は回転軸を左右方向に配置して筐体１０内に横設される。筐体１０内には支持部材３２、３３が立設され、クロスフローファン２の回転軸の一端は軸受５０（図６参照）を介して左方の支持部材３３に支持される。クロスフローファン２の回転軸の他端は右方の支持部材３２に取り付けられたファンモータ５１に連結される。ファンモータ５１の回転により、室内の空気が吸込口４を介して吸い込まれ、熱交換器１５を通過して吹出口５から吹出される。
【００１９】
熱交換器１５の下方にはドレン水を受けるドレンパン１３、１４が前後にそれぞれ設けられる。各ドレンパン１３、１４は熱交換器１５に対応して左右方向に長く形成される。ドレンパン１３、１４は左右方向の一端部に形成された導水路（不図示）を介して繋がっており、ドレンパン１４のドレン水は導水路を介してドレンパン１３に導かれる。ドレンパン１３に排水口（不図示）が形成され、排水口に接続された排水管（不図示）を介してドレン水は室内機１の外部に排出される。
【００２０】
フィルタガイド２０は筐体１０に支持されるガイド部材２３上に設けられる。ガイド部材２３は前部を筐体１０の上壁の前部に固定して後端部を筐体１０の背壁に固定し、筐体１０の左右方向に並べて３箇所に配置される。各ガイド部材２３間にそれぞれフィルタ２４が保持される。
【００２１】
フィルタガイド２０はフィルタ２４の両側端が嵌合する溝部２０ａ、２０ｂにより形成される。溝部２０ａはガイド部材２３の前部に配して環状に形成され、溝部２０ｂは溝部２０ａの後端部から後方に延びて形成される。また、ガイド部材２３の前部にはフィルタガイド２０に沿ってフィルタ２４を移動させるローラ２１が設けられ、溝部２０ａに沿ってブラシ２５が設けられる。
【００２２】
吸込口４に面して配されるフィルタ２４はローラ２１を駆動するとフィルタガイド２０の案内によってブラシ２５に摺動する。これにより、フィルタ２４を清掃することができる。清掃後のフィルタ２４はローラ２１の駆動により吸込口４に面して配される。
【００２３】
熱交換器１５は冷媒が流通する冷媒管３１に複数の平板状のフィン３１ｂを固着して形成され、第１熱交換部１５ａ、第２熱交換部１５ｂ及び第３熱交換部１５ｃを有している。クロスフローファン２の前方に第１熱交換部１５ａが配され、上方に第２熱交換部１５ｂ及び第３熱交換部１５ｃが山型に配される。冷媒管３１は左右方向に延びて両側端の屈曲部３１ａでＵ字状に屈曲して蛇行し、上下方向や前後方向に並設される。
【００２４】
熱交換器１５の両側端は一対の支持部材３２、３３が取り付けられ、支持部材３２、３３が筐体１０内で立設して熱交換器１５の両側端を支持する。
【００２５】
図５は支持部材３３の斜視図であり、図６は室内機１の支持部材３３を左方から視た図である。図５は支持部材３３の内面側を示し、図６は支持部材３３の外面側を示している。図７は支持部材３３の正面断面図である。
【００２６】
支持部材３２、３３は平板状のプレート部４０と、プレート部４０の下部から内側の突出するフランジ部４１とを有し、筐体１０にネジ止めされる。フランジ部４１はクロスフローファン２の側端部を覆うように湾曲する。プレート部４０には長孔形状の複数の保持孔３５が開口する。
【００２７】
図８は保持孔３５を拡大して示す斜視図である。プレート部４０の外面には保持孔３５の周縁から突出する筒状のリブ３６が設けられる。リブ３６の内面には係合爪３８が突設される。また、リブ３６の下端部には外側の端面上から内側に延びる切欠き３７が形成される。切欠き３７によってリブ３６の下端部が下方に面して開放される。
【００２８】
熱交換器１５の屈曲部３１ａは保持孔３５に挿入され、係止爪３８により係止される。屈曲部３１ａはリブ３６に嵌合して面接触し、熱交換器１５が支持部材３２、３３に支持される。熱交換器１５はリブ３６によって上下方向及び前後方向に位置決めされ、係合爪３８により左右方向に位置決めされる。
【００２９】
リブ３６の下端部が切欠き３７により下方に面して開放されるため、屈曲部３１ａに発生するドレン水は切欠き３７を介して排水される。このため、冷媒管３１の腐食を防止することができる。また、冷媒管３１は屈曲部３１ａにより面接触支持されるため、室内機１の製造工程で筐体１０に衝撃が加わった場合に冷媒管３１にかかる荷重が分散される。このため、熱交換器１５の変形を防止することができる。また、係止爪３８により製造工程中の熱交換器１５の脱落を防止することができる。
【００３０】
また、熱交換器１５の両側端に配されたフィン３１ｂはプレート部４０に当接する。このため、室内機１の製造工程で筐体１０に衝撃が加わった場合に熱交換器１５の左右方向の揺動が防止される。従って、熱交換器１５の変形をより確実に防止することができる。尚、フィン３１ｂがプレート部４０に面接触するとより望ましい。
【００３１】
また、支持部材３３の上端部には内側に延びてフィルタガイド２０に当接する封止部３３ａ（図７参照）が形成されている。封止部３３ａにより第２熱交換部１５ｂ及び第３熱交換部１５ｃに面したフィルタガイド２０と支持部材３３との隙間が塞がれる。これにより、吸気口４から吸入してフィルタガイド２０と筐体１０との隙間を介して流入した空気がフィルタ２４を通過せずに熱交換器１５に流入するのを抑制することができる。従って、フィルタ２４で集塵されていない空気が熱交換器１５に流入して冷媒管３１に埃が付着するのを低減することができる。
【００３２】
また、ドレンパン１３、１４の両端部には筐体１０の下部の左右端に立設される端面板１７が設けられ、支持部材３２、３３は端面板１７上に載置される。図９は支持部材３３の下端部の正面断面図を示しており、支持部材３２も同様である。端面板１７の上端には段差部１７ａが形成され、段差部１７ａ内に支持部材３３が配される。これにより、送風路６の両側端面を確実に遮蔽することができ、気流漏れを防止することができる。
【００３３】
なお、支持部材３２、３３の下端に段差部を設け、該段差部内に端面板１７を配してもよい。また、支持部材３２、３３の下端及び端面板１７の上端に段差部を設け、上下に対向する段差部を互いに入り込むように配してもよい。即ち、支持部材３２、３３の下端及び端面板１７の上端の少なくとも一方に設けた段差部内に他方が配されていればよい。
【００３４】
上記構成において、冷房運転が行われると、吹出口５が開いた状態でクロスフローファン２が回転すると室内の空気が吸込口４から吸い込まれる。吸い込まれた空気に含まれる塵埃はフィルタ２４で捕集され、熱交換器１５により熱交換される。熱交換器１５は蒸発器として機能し、室内から吸い込まれた空気は熱交換器１５において冷却する。冷却された空気はクロスフローファン２を通って吹出口５から冷風が室内に吹出される。
【００３５】
このとき、吸い込まれた空気が熱交換器１５を通過する際に、空気中に含まれる水蒸気が凝縮してドレン水が滴下し、ドレン水がドレンパン１３、１４に溜まる。ドレンパン１３、１４に溜まったドレン水は排水口（不図示）に向かって流れる。
【００３６】
本実施形態によると、筐体１０内に立設して熱交換器１５の両側端を支持する一対の支持部材３２、３３は、屈曲部３１ａが嵌合する長孔形状の保持孔３５と、保持孔３５の周縁から外方に突出して屈曲部３１ａの周面に面接触する筒状のリブ３６とを有し、リブ３６の下端部が下方に面して開放されている。これにより、これにより、リブ３６内部に溜まったドレン水が下端部から排水されて冷媒管３１が腐食するのを防止することができる。
【００３７】
また、リブ３６には内周面から突出して屈曲部３１ａの内周部を係止する係止爪３８が設けられている。これにより、支持部材３３が冷媒管３１に取り付けられる際に係合爪３８により左右方向に位置決めされ、係止爪３８により製造工程中の熱交換器１５の脱落を防止することができる。
【００３８】
また、熱交換器１５の両側端に配したフィン３１ｂの全面が支持部材３３と当接しているため、室内機１の製造工程で筐体１０に衝撃が加わった場合に熱交換器１５の左右方向の揺動が防止される。従って、熱交換器１５の変形をより確実に防止することができる。
【００３９】
また、支持部材３３の下端がドレンパン１３の左右端に配されて筐体１０に支持される端面板の段差部１７ａに載置され、支持部材３３の下端及び端面板１３ａの上端の少なくとも一方に設けた段差部内に他方が配されている。これにより、これにより、送風路６の両側端面を確実に遮蔽することができ、気流漏れを防止することができる。
【００４０】
また、前記側板の上端部から内側に延びる封止部３３ａがフィルタガイド２０と当接して支持部材３３とフィルタガイド２０との隙間を塞ぐ。これにより、吸気口４から吸入して支持フレーム２３と筐体１０との隙間を介して流入した空気がフィルタ２４を通過せずに熱交換器１５に流入するのを防止することができる。これにより、フィルタ２４で集塵されていない空気が熱交換器１５に流入して冷媒管３１に埃が付着するのを防止することができる。
【００４１】
＜第２実施形態＞
図１０は第２実施形態に係る室内機１の支持部材の一部を示す正面断面図である。なお、第１実施形態と同一部分は同一符号を付して説明を省略する。第２実施形態は切欠き３７（図７参照）に替えてリブ３６の最下部の一部に貫通孔３７ａが設けられている。その他の部分は第１実施形態と同様である。
【００４２】
屈曲部３１ａに発生するドレン水は貫通孔３７ａを介して排水される。このため、冷媒管３１の腐食を防止することができる。また、リブ３６の強度が向上するとともに冷媒管３１とリブ３６との当接面が大きくなり、より安定して冷媒管３１を保持することができる。
【００４３】
＜第３実施形態＞
図１１は第３実施形態に係るリブ３６を拡大して示す斜視図である。なお、第１実施形態と同一部分は同一符号を付して説明を省略する。第３実施形態はリブ３６の上端部にも切欠き３７が形成されている。これにより、屈曲部３１ａをリブ３６に嵌合させた際に、上下端部の切欠き３７により分割されたリブ３６が屈曲部３１ａを両側から挟持して面接触により安定して支持する。また、図１２は第２実施形態に係るリブ３６の変形例を示す斜視図であり、上下に隣接するリブ３６を連結して一体成形してもよい。なお、図１１、図１２では、係止爪３８を省略しているが、係止爪３８を設けてもよい。
【００４４】
＜第４実施形態＞
図１３は第４実施形態に係るリブ３６を拡大して示す斜視図であり、図１４はリブ３６の上面断面図である。なお、第１実施形態と同一部分は同一符号を付して説明を省略する。第４実施形態は切欠き３７が外側の端面から内側に向かって幅を狭めながら延びている。これにより、リブ３６には内側に近づくにつれて両側から屈曲部３１ａを挟持する方向に弾性力が強く働き、屈曲部３１ａをリブ３６に嵌合させた際に、リブ３６が屈曲部３１ａを両側から挟持して面接触により安定して支持する。
【００４５】
また、リブ３６の内周面には外端が起立して回動する一片の係止爪３８が形成されている。係止爪３８が倒して屈曲部３１ａをリブ３６に挿入し、嵌合させた後に係止爪３８が復元力により起立する。これにより、係止爪３８の外端が屈曲部３１ａの内周部に当接して屈曲部３１ａを係止することができる。
【００４６】
＜第５実施形態＞
図１５は第５実施形態に係るリブ３６を拡大して示す斜視図であり、図１６はリブ３６の上面断面図である。なお、第１実施形態と同一部分は同一符号を付して説明を省略する。第５実施形態はリブ３６が半筒状に形成され、係止片３９がリブ３６に対向して保持孔３５の周縁から外方に突出する。係止片３９は外方に向かってリブ３６に近づく方向に延びており、係止片３９は屈曲部３１ａの内周部をリブ３６の内周面側に押圧して係止する。これにより、リブ３６を広く開放して形成することができ、リブ３６内部に溜まったドレン水の排水性をより向上させることができる。
【産業上の利用可能性】
【００４７】
本発明は熱交換器の側端に側板が取り付けられる空気調和機の室内機に利用可能である。
【符号の説明】
【００４８】
１          室内機
２          クロスフローファン
４          吸込口
５          吹出口
１０        筐体
１１        前カバー
１３、１４  ドレンパン
１５        熱交換器
１６        ルーバ
１７        端面板
２０        フィルタガイド
２１        ローラ
２３        保持部材
２４        フィルタ
２５        清掃ユニット
３１        冷媒管
３１ａ      屈曲部
３１ｂ      フィン
３２、３３  支持部材
３３ａ      封止部
３５        保持孔
３６        リブ
３７        切欠き
３８        係止爪
４０        プレート部
４１        フランジ部
【図１】
0006502208.tif 000002
【図２】
0006502208.tif 000003
【図３】
0006502208.tif 000004
【図４】
0006502208.tif 000005
【図５】
0006502208.tif 000006
【図６】
0006502208.tif 000007
【図７】
0006502208.tif 000008
【図８】
0006502208.tif 000009
【図９】
0006502208.tif 000010
【図１０】
0006502208.tif 000011
【図１１】
0006502208.tif 000012
【図１２】
0006502208.tif 000013
【図１３】
0006502208.tif 000014
【図１４】
0006502208.tif 000015
【図１５】
0006502208.tif 000016
【図１６】
0006502208.tif 000017